(57)【要約】      （修正有）【課題】整流と、分流と、出力とを一体化し、製造コストを削減し、使用寿命を延長することができる整流器の構造を提供する。【解決手段】ケースと、変圧器と、出力装置とから構成される。変圧器の上端に、出力装置を設けて、出力装置は、銅板本体と出力銅板は複数の金属管を介して連結し、一体となって分流器となる。銅板本体の上に定位銅片より、複数のダイオードと連結し、さらに、変圧器の陽極と接続し、後端側の出力端はケースの外に延在して、変圧器の陰極側は、Ｌ型銅板と結合し、Ｌ型銅板は陰極銅板と接続し、陰極出力端としてケースの外に延在する。【選択図】図２
0003158204.tif 000002
【実用新案登録請求の範囲】
【請求項１】
整流器の構造であって、ケースと、制御板と、駆動板と変圧器と、出力装置とから構成され、その特徴は、前記変圧器の上端に、出力装置を設けて、該出力装置は、銅板本体と出力銅板は複数の金属（マンガニーズ）管を介して連結し、一体となって分流器となり、該銅板本体の上に定位銅片より、複数のダイオードと連結し、さらに、変圧器の陽極と接続し、後端側の出力端はケースの外に延在して、変圧器の陰極側は、L型銅板と結合し、
該L型銅板は陰極銅板と接続し、陰極出力端としてケースの外に延在して、よって、整流と，分流と，出力と一体化なることを特徴とするの整流器の構造。
【請求項２】
前記変圧器の陽極は、U型銅板と逆U型銅板との結合で、出力装置の両側におり、定位銅片より銅板本体と接続することを特徴とする請求項１に記載の整流器の構造。
【請求項３】
前記出力装置は、複数の変圧器と連結するもできる、なお、変圧器と出力装置の接続の陽極と陰極は、交換できることを特徴とする請求項１に記載の整流器の構造。
【考案の詳細な説明】
【技術分野】
【０００１】
この考案は整流器の構造に関し、特に部品の簡略化でコスト削減と、熱下がるの仕組みで使用能率と年数の上げと、整流器の構造に関する。
【背景技術】
【０００２】
図１に従来の整流器の構造を開示する。図面によれば、ケース１は、ケース１の下面に変圧器１１を設け、上面に送風機１２を設け、前端に、溝口１０がおり、制御板を設け、後部側に熱発散のアルミ部材１３０を設けておる。該変圧器１１から、銅片より、陽極と陰極を接続出し、陽極は銅板１１１と接続し、銅板１１１はねじで分流器１４と螺着、さらに分流器１４は出力銅板１４０と連結で、出力端となり、陰極は銅板１１２と直接連結で、出力端１１３となって、よって、整流と出力に用いられる。
図１に示すように、従来の整流器の変圧器１１は、圭鋼片材料を変圧器の鉄心材料として、大電流低電圧の変圧器に形成され、電導金属材料で、一次巻線と二次巻線とで、構成され、さらに、大電流低電圧の需要より、該変圧器１１の制御板１３は、三相SCR（サイリスタ）で、位相角を制御して出力の定数値を合わせる。
【考案の開示】
【考案が解決しようとする課題】
【０００３】
前記従来の整流器の構造では、下記の欠点はあります。
１．鉄損と銅損が高い、効率が低い、エネルギーと電力の消耗も多い。
２．大電流低電圧で整流する時に、高温を発生し、だから、送風機１２とアルミ部材１３０などの冷却装置が欠かせない。
３．該変圧器１１の陽極と陰極は、複数組みの連結に合わせ、組み立って時の不便とコストになり、特に、該陽極出力には、分流器１４と結合の後、さらに出力端１４０と連結し、複雑と不便は明らか
４．体積より大きい、重さより重い、効率より低い。
この考案は、以上の欠陥を改善し、特に部品の簡略化でコスト削減、熱下がるの仕組みなどで使用能率と年数の上げる整流器の構造を提供することを課題とする。
【課題を解決するための手段】
【０００４】
そこで、本考案者は従来の技術に見られる欠点に鑑み鋭意研究を重ねた結果、整流器の構造において、ケースと、制御板と、駆動板と変圧器と、出力装置とから構成され、その特徴は、前記変圧器の上端に、出力装置を設けて、該出力装置は、銅板本体と出力銅板は複数の金属（マンガニーズ）管を介して連結し、一体となって分流器となり、該銅板本体の上に定位銅片より、複数のダイオードと連結し、さらに、変圧器の陽極と接続し、後端側の出力端はケースの外に延在して、変圧器の陰極側は、L型銅板と結合し、
該L型銅板は陰極銅板と接続し、陰極出力端としてケースの外に延在して、よって、整流と，分流と，出力と一体化なる。
【考案の効果】
【０００５】
この考案の整流器の構造によれば、下記の効果があります：
１．整流と，分流と，出力と一体化なり，部品は少なくなって、組み立て時に，便利と早くなるから、製造効率には有利。
２．部品は少なくなるから、材料コスト削減こともできる。
３．体積が小さくなり、重量が軽くなり、設置する時は便利となる。
４．消耗が極めて低い、省エネルギーと、温度下げ保持できることより、最良状態に保持できると、使用寿命が延長できるとの利点がある。
【実施例１】
【０００６】
本考案の整流器の構造は、図２で示されるように、ケース２と、制御板２４と、駆動板２３と変圧器２１と、出力装置３とから構成され、制御板２４と駆動板２３の後側にコンデンサー２２を設け、変圧器２１の上端に、出力装置３を設けて、出力装置３は、銅板本体３１と出力銅板３０は複数の金属（マンガニーズ）管を介して連結し、一体となって分流器３２となり、分流器３２は出力銅板３０と連結し、その出力端３０１はケースの外に延在する。銅板本体３０の上に定位銅片３３より、複数のダイオード３３１と保護装置３３０と連結し、さらに、変圧器２１の陽極（接続次第に陰陽極が交換できる）と接続する。変圧器２１の陰極側は、陰極銅板３４と接続し、陰極出力端３４０としてケース２の外に延在する。
なお、変圧器２１の陰陽極の出力について、図３に示されたのは、陰極出力の説明図である。変圧器２１は、環形鉄心で一次銅線の巻線方式（図に示されてない）に合わせて、二次巻線でモジュール２１１と２１２から構成される；モジュール２１１の外環２１１１は陽極で、内環２１１２は陰極で（接続次第に陰陽極が交換できる）、モジュール２１２の外環２１２１は陰極で、内環２１２２は陽極である。L型銅板を用いて、変圧器２１のモジュール２１１の内環２１１２と、モジュール２１２の外環２１２１と連結し、陰極銅板を接続して、出力端３４０をケース２の外に延在する。
また、陽極出力は図４に示されるように、モジュール２１２の内環２１２２はU型銅板３５と連結し、U型銅板３５の固定銅片３５１はモジュール２１２の内環２１２２に螺着し、両側の連結銅片３５２は変圧器２１の外に延在し、陰極に接続するL型銅板３４１と接触しない。モジュール２１１の外環２１１１はU型銅板３６と連結し、U型銅板３６の固定銅片３６１はモジュール２１１の外環２１１１に螺着する。また、U型銅板３５，３６の上面づつに、逆U型銅板３７，３８と結合し、その結合は、両側の連結銅片３７１，３８１とU型３５，３６の連結銅片３５２，３６２と螺着し、逆U型銅板上面の固定銅片３７２，３８２に設けられた貫通孔３７２０，３８２０を用いて、出力装置３の銅板本体と、定位銅片３３と螺着する。
なお、図５は出力装置を示す斜視図である。出力装置３は、銅板本体３１と出力銅板３０は複数の金属（マンガニーズ）管を介して連結し、一体となって分流器３２となり、銅板本体３１は、変圧器２１の上面におり、変圧器の陽極と接続の固定銅板３７３，３８２と結合する（図６に示すように）。銅板本体３１の両側に定位銅片３３より、複数のダイオード３３１と螺着し、さらに、出力銅板３０と一体の出力端３０１はケース２の外に延在して、陽極出力となる。また、整流出力時に高温が発生する、銅板本体３１に進水孔３１１と出水孔３１２を設けて、水循環冷却で、整流出力時に出力装置３を正常工作温度に保持する。
使用時の負荷連結は、図７の説明図に示すように、ケース２の外に延在して陽極と陰極の出力端３０１，３４０を整流する機器（負荷）と接続して、変圧器２１と出力装置３の工作より、高効率の整流効果ができる。
【実施例２】
【０００７】
本実施例に係る出力装置４においては、図８に示すように、主に、銅板本体４１の幅を広げて、出力銅板４０も銅板本体４１に合わせて、幅を広げ設け、銅板本体４１と出力銅板４０は複数の金属（マンガニーズ）管を介して連結し、一体となって分流器４２となり、銅板本体４１に多数の連接孔４１０を設けて、定位銅片４３より、多数のダイオード４３１を銅板本体４１に螺着する、変圧器２１はU型銅板と逆U型銅板を用いて定位銅片４３と連結し、電流は銅板本体４１とダイオード４３１より整流され、また、ダイオード４３１に保護装置４３０を設けており。出力銅板４０の上下面とも定位銅片４３が連結しておりゆえ、上下面ともに変圧器２１が設けられ、ともに銅板本体４１と連結し（図９に示すように）、それで、２倍の出力電流ができって、より小さく体積、軽い重量で、より多いの電流出力ができる。
【図面の簡単な説明】
【０００８】
【図１】従来の整流器の構造を示した斜視図である。
【図２】この考案の整流器の構造を示した斜視図である。
【図３】この考案の変圧器と陰極銅板連結の説明図である。
【図４】この考案の変圧器とU型銅板連結の説明図である。
【図５】この考案の出力装置の斜視図である。
【図６】この考案の出力装置の局部拡大説明図である。
【図７】この考案の負荷連結の説明図である。
【図８】この考案の別実施例の出力装置斜視図である。
【図７】この考案の別実施例の斜視図である。
【符号の説明】
【０００９】
１         ケース
１０       溝口
１１       変圧器
１１１     銅板
１１２     銅板
１１３     出力端
１２       送風機
１３       制御板
１３０     アルミ部材
１４       分流器
２         ケース
２１       変圧器
２１１     モジュール
２１１１    外環
２１１２    内環
２１２     モジュール
２１２１    外環
２１２２    内環
２２       コンデンサー
２３       駆動板
２４       制御板
３         出力装置
３０       出力銅板
３０１     出力端
３１       銅板本体
３１１     進水孔
３１２     出水孔
３２       分流器
３３       定位銅片
３３０     保護装置
３３１     ダイオード
３４       陰極銅板
３４０     出力端
３４１     L型銅板
３５       U型銅板
３５１     固定銅片
３５２     連結銅片
３６       U型銅板
３６１     固定銅片
３６２     連結銅片
３７       逆U型銅板
３７１     連結銅片
３７２     固定銅片
３７２０    貫通孔
３８       逆U型銅板
３８１     連結銅片
３８２     固定銅片
３８２０    貫通孔
４         出力装置
４０       出力銅板
４１       銅板本体
４１０     ねじ孔
４２       分流器
４３       定位銅片
４３０     保護装置
４３１     ダイオード
【図１】
0003158204.tif 000003
【図２】
0003158204.tif 000004
【図３】
0003158204.tif 000005
【図４】
0003158204.tif 000006
【図５】
0003158204.tif 000007
【図６】
0003158204.tif 000008
【図７】
0003158204.tif 000009
【図８】
0003158204.tif 000010
【図９】
0003158204.tif 000011
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
整流器の構造であって、ケースと、制御板と、駆動板と変圧器と、出力装置とから構成され、その特徴は、前記変圧器の上端に、出力装置を設けて、該出力装置は、銅板本体と出力銅板は複数の金属管を介して連結し、一体となって分流器となり、該銅板本体の上に定位銅片より、複数のダイオードと連結し、さらに、変圧器の陽極と接続し、後端側の出力端はケースの外に延在して、変圧器の陰極側は、L型銅板と結合し、該L型銅板は陰極銅板と接続し、陰極出力端としてケースの外に延在して、よって、整流と，分流と，出力と一体化なることを特徴とするの整流器の構造。
【請求項２】
前記変圧器の陽極は、U型銅板と逆U型銅板との結合で、出力装置の両側におり、定位銅片より銅板本体と接続することを特徴とする請求項１に記載の整流器の構造。
【請求項３】
前記出力装置は、複数の変圧器と連結するもできる、なお、変圧器と出力装置の接続の陽極と陰極は、交換できることを特徴とする請求項１に記載の整流器の構造。
【請求項４】
前記複数の金属管は、マンガニーズ添加金属管であることを特徴とする請求項１に記載の整流器の構造。
【手続補正２】
【補正対象書類名】明細書
【補正対象項目名】０００８
【補正方法】変更
【補正の内容】
【０００８】
【図１】従来の整流器の構造を示した斜視図である。
【図２】この考案の整流器の構造を示した斜視図である。
【図３】この考案の変圧器と陰極銅板連結の説明図である。
【図４】この考案の変圧器とU型銅板連結の説明図である。
【図５】この考案の出力装置の斜視図である。
【図６】この考案の出力装置の局部拡大説明図である。
【図７】この考案の負荷連結の説明図である。
【図８】この考案の別実施例の出力装置斜視図である。
【図９】この考案の別実施例の斜視図である。
【手続補正書】
【提出日】平成22年1月15日(2010.1.15)
【手続補正１】
【補正対象書類名】実用新案登録請求の範囲
【補正対象項目名】請求項１
【補正方法】変更
【補正の内容】
【請求項１】
整流器の構造であって、ケースと、変圧器と、出力装置とから構成され、その特徴は、前記変圧器の上端に、出力装置を設けて、該出力装置は、銅板本体と出力銅板は複数の金属管を介して連結し、一体となって分流器となり、該銅板本体の上に定位銅片より、複数のダイオードと連結し、さらに、変圧器の陽極と接続し、後端側の出力端はケースの外に延在して、変圧器の陰極側は、L型銅板と結合し、該L型銅板は陰極銅板と接続し、陰極出力端としてケースの外に延在して、よって、整流と，分流と，出力と一体化なることを特徴とする整流器の構造。